(57)【要約】【課題】可動部と、この可動部を駆動する動力を有する駆動機構、及び、この駆動機構を制御する制御部とを備えた照明装置において、その駆動機構の回転機構の部分等が錆付や固着した埃等により固着して動かなくなることを防ぐことが可能な照明装置を提供する。【解決手段】光源９と、可動部２と、該可動部２を駆動する動力Ｍを備えた駆動機構と、該駆動機構を制御する制御部１０とを備えた照明装置を、制御部１０が、点灯スイッチＳＷ１が操作されたことを検知した時点で、駆動機構の固着防止になるように該駆動機構を駆動して可動部２を動かすようにして構成する。【選択図】図３
2008066078.tif 000002
【特許請求の範囲】
【請求項１】
光源と、可動部と、該可動部を駆動する動力を備えた駆動機構と、該駆動機構を制御する制御部とを備えた照明装置であって、
前記制御部は、所定動作が生じたことを検知した時点で、前記駆動機構の固着防止になるように該駆動機構を駆動して前記可動部を動かすことを特徴とする照明装置。
【請求項２】
前記可動部は、前記光源から照射される光を一部遮光して、該光源から照射される光を、２方向の双方、或いは、一方に振り分け可能に、該光源と対向して配置され、該配置位置が移動すると、各方向に振り分けられた照射光の量が変化する遮光板であり、
前記駆動機構は、該遮光板の前記配置位置を移動させる遮光板駆動機構であり、
前記制御部は、前記遮光板駆動機構を制御する機能を備えている請求項１記載の照明装置。
【請求項３】
前記遮光板は、半透光性を備えている請求項２記載の照明装置。
【請求項４】
前記光源は、断面が円形の直管状であり、
前記遮光板は、前記光源から平行に離間して配置されると共に、前記光源の軸方向に平行な２辺を備えており、該２辺のそれぞれの外縁の外側を、前記振り分けられた照射光が通過するように構成されており、
前記遮光板駆動機構は、回転軸を備えると共に、該回転軸が回転することにより、前記遮光板を前記直管状の光源の管曲面に沿って回動して、前記遮光板の前記配置位置を移動する請求項２又は３記載の照明装置。
【請求項５】
前記光源は、直管状の蛍光灯である請求項４記載の照明装置。
【請求項６】
前記所定動作は、前記制御部に備えられたスイッチが操作されることにより行われる、前記光源の点灯動作、又は、消灯動作、若しくは、その双方である請求項１〜５のいずれか１項に記載の照明装置。
【請求項７】
前記所定動作は、前記制御部に備えられたタイマーが、一定時間毎に、又は、設定された時刻到来毎に、出力信号を発生する際の出力信号発生動作である請求項１〜５のいずれか１項に記載の照明装置。
【請求項８】
請求項４又は５記載の照明装置であって、
前記所定動作は、前記制御部に備えられたスイッチが操作されることにより行われる、前記光源の点灯動作、及び、消灯動作であり、
前記遮光板は、消灯状態では待機位置に待機しており、
前記制御部は、前記点灯動作を検知すると、前記遮光板が前記待機位置から所定位置に移動するように前記遮光板駆動機構を制御すると共に、前記消灯動作を検知すると、前記遮光板が前記所定位置から前記待機位置に復帰するように前記遮光板駆動機構を制御する照明装置。
【発明の詳細な説明】
【技術分野】
【０００１】
本発明は、可動部を備えた照明装置に関する。
【背景技術】
【０００２】
照明装置は、その使用目的に応じて、さまざまなタイプが製作されている。これらの照明装置では、光の照射方向が固定されているのが一般的である。しかし、光の照射方向を可変可能な照明装置のニーズも存在し、このようなニーズに対応するため、さまざまな照明装置が考案されている（例えば、特許文献１参照）。
【０００３】
特許文献１に記載の照明装置（直管型蛍光灯器具）は、天井等に設置される本体部に、光源を備えた複数のホルダーを可動可能に取付け、この光源を備えたホルダーの向きを可変とすることにより、光の照射方向を可変とするものである。この照明装置では、光源を備えたホルダーを動かすのに、手動操作によるもののほか、モータ等の動力を備えた駆動機構を用いることにより、この駆動機構を制御して光源を備えたホルダーを動かすものもある。
【特許文献１】特開昭６１−２９６６０３号公報
【発明の開示】
【発明が解決しようとする課題】
【０００４】
ところで、光の照射方向を可変可能な上記のような照明装置において、光源を備えたホルダー等を、動力を備えた駆動機構を制御して動かすタイプの場合に、使用の場所や目的によっては、光の照射方向を頻繁に変える使用方法もある。しかし、必ずしもこのような使い方がなされるとは限らず、場合によっては、照明装置を設置したときに、所定の照射方向になるように設定した後は、長期にわたって、その状態が継続されることもある。
【０００５】
このような場合に、所定の照射方向になるように設定した時点から長期間経過した後に、照射方向を変更するために、再度駆動機構を制御して動かそうとした場合に、駆動機構の回転機構の部分等が錆付や固着した埃等により固着して動かなくなることもあり、問題となっていた。
【０００６】
又、上記の照明装置では、光の照射方向を可変するのに、光源を備えたホルダーそのものを動かすので、照明装置としては、大掛かりなものとなり、どうしても大型化してしまう問題があった。
【０００７】
そこで、この発明は、このような問題を解決するためになされたものであって、可動部と、この可動部を駆動する動力を有する駆動機構、及び、この駆動機構を制御する制御部とを備えた照明装置において、その駆動機構の回転機構の部分等が、錆付や固着した埃等により固着して動かなくなることを防ぐことが可能な照明装置、及び、このような照明装置であって、且つ、光の照射方向が可変可能で、しかも小型化可能な照明装置を提供しようとするものである。
【課題を解決するための手段】
【０００８】
本発明の照明装置は、光源と、可動部と、該可動部を駆動する駆動機構と、該駆動機構を制御する制御部とを備えた照明装置であって、制御部が、所定動作が生じたことを検知した時点で、駆動機構の固着防止になるように該駆動機構を駆動して可動部を動かすことを特徴としている。上記の所定動作については、後述する。
【０００９】
このようにすることにより、可動部と、この可動部を駆動する動力を有する駆動機構、及び、この駆動機構を制御する制御部とを備えた照明装置において、その駆動機構の回転機構の部分等が、錆付や固着した埃等により固着して動かなくなるのを防止することができる。
【００１０】
上記の照明装置として、次のように構成された照明装置を用いるようにしてもよい。即ち、この照明装置には、可動部として、光源から照射される光を一部遮光して、該光源から照射される光を、２方向の双方、或いは、一方に振り分け可能に、該光源と対向して配置され、該配置位置が移動すると、各方向に振り分けられた照射光の量が変化する遮光板を用いる。又、駆動機構として、該遮光板の配置位置を移動させる遮光板駆動機構を用いる。そして、制御部として、遮光板駆動機構を制御する機能を備えた制御部を用いるのである。
【００１１】
上記の照明装置の遮光板は、半透光性を備えるようにしてもよい。又、上記の遮光板を備えた照明装置を、具体的に、次のように構成するようにしてもよい。
【００１２】
即ち、上記の光源として、断面が円形の直管状の光源を用いる。又、上記の遮光板として、光源から平行に離間して配置されると共に、光源の軸方向に平行な２辺を備えており、該２辺のそれぞれの外縁の外側を、振り分けられた照射光が通過するように構成された遮光板を用いる。又、上記の遮光板駆動機構として、回転軸を備えると共に、該回転軸が回転することにより、遮光板を直管状の光源の管曲面に沿って回動して、遮光板の配置位置を移動するように構成された遮光板駆動機構を用いるのである。又、上記の断面が円形の直管状の光源として、直管状の蛍光灯を用いるのが好適である。
【００１３】
上記の照明装置では、光源を固定すると共に、この固定された光源の前に、可動可能な遮光板を配置し、この可動可能な遮光板を可変とすることにより、光の照射方向を可変としている。従って、光源を可動させないので、照明装置を小型化することができる。
【００１４】
上記の照明装置において、駆動機構の固着防止になるように該駆動機構を駆動させるトリガーとなる上記の所定動作として、上記の照明装置の制御部に備えられたスイッチが操作されたこととするのが好適である。このスイッチの操作としては、具体的に、上記の照明装置の光源の点灯動作、又は、消灯動作、若しくは、その双方に用いられるスイッチの操作とする。又、トリガーとなる他の所定動作として、制御部に備えられたタイマーが、一定時間毎に、又は、設定された時刻到来毎に、出力信号を発生する際の出力信号発生動作とするのも好適である。
【００１５】
上記で用いられる照明装置の光源の点灯動作、又は、消灯動作は、照明装置を動作させるのに必要不可欠である。又、タイマーは、設定さえすれば、確実に動作させることができる。従って、上記のようにすることにより、駆動機構の固着防止のための該駆動機構の駆動を、確実に行わせることができる。
【００１６】
上記の遮光板を備えた照明装置を、具体的に、次のように構成するようにしてもよい。即ち、所定動作として、制御部に備えられたスイッチが操作されることにより行われる光源の点灯動作、及び、消灯動作を用いる。又、遮光板は、消灯状態では待機位置に待機するようにする。そして、制御部は、点灯動作を検知すると、遮光板が待機位置から所定位置に移動するように遮光板駆動機構を制御すると共に、消灯動作を検知すると、遮光板が所定位置から待機位置に復帰するように遮光板駆動機構を制御するのである。
【００１７】
この照明装置では、上述したと同様に、照明装置の光源の点灯動作、及び、消灯動作は、照明装置を動作させるのに必要不可欠であるので、駆動機構の固着防止のための該駆動機構の駆動を、確実に行わせることができる。
【発明の効果】
【００１８】
本発明によれば、光源と、可動部と、該可動部を駆動する駆動機構と、該駆動機構を制御する制御部とを備えた照明装置において、制御部が、所定動作が生じたことを検知した時点で、駆動機構の固着防止になるように該駆動機構を駆動して可動部を動かすことができる。従って、駆動機構の回転機構の部分等が、錆付や固着した埃等により固着して動かなくなるのを防止することができる。
【００１９】
又、上記の所定動作として、照明装置の光源の点灯や消灯のために、照明装置の制御部に備えられたスイッチが操作されたこと、或いは、制御部に備えられたタイマーが、一定時間毎に、又は、設定された時刻到来毎に、出力信号が発生されたこととすることができる。このようにすると、点灯動作や消灯動作は、照明装置を動作させるのに必要不可欠であり、又、タイマーは、設定さえすれば、確実に動作させることができることから、駆動機構の固着防止のための該駆動機構の駆動を、確実に行わせることができる。
【００２０】
又、本発明によれば、照明装置を、この照明装置の可動部として、遮光板を用いると共に、駆動機構として、この遮光板の配置位置を移動させる遮光板駆動機構を用い、さらに、制御部として、この遮光板駆動機構を制御する機能を備えた制御部を用いて構成することができる。そして、この照明装置では、光源を固定すると共に、この固定された光源の前に、上記の可動可能な遮光板を配置し、この可動可能な遮光板を可変とすることにより、光の照射方向を可変とすることができる。従って、光の照射方向を可変するのに可動可能な光源を用いる必要がないので、照明装置を小型化することができる。
【発明を実施するための最良の形態】
【００２１】
以下、本発明の実施の形態における照明装置について、図面を参照しながら説明する。図１(ａ)は、本実施の形態における照明装置Ａの平面図、図１(ｂ)は、その右側面図、そして、図１(ｃ)は、図１(ａ)の、Ｘ−Ｘ断面図である。
【００２２】
上記の照明装置Ａは、部屋の壁１１に設置されており、本体１、遮光板２、遮光板支持片３、回転軸４、軸受５、モータユニット６、反射板７、ソケット８、及び、蛍光灯９で構成されている。本体１は前方に開口した主空間１ｄと、この主空間１ｄの左右に、隔壁１ｃ、及び、隔壁１ｅを介して隣接している副空間１ｂ，及び、副空間１ｆとを備えており、副空間１ｂ，副空間１ｆは、外界との間にそれぞれ、側外壁１ａ、及び、側外壁１ｇを備えている。
【００２３】
隔壁１ｃ及び隔壁１ｅが主空間１ｄに面する下端部には、ソケット８，８が備えられ、このソケット８，８間には、照明装置Ａの光源である直管状の蛍光灯９が嵌め込まれている。又、この蛍光灯９が存在する主空間１ｄの奥には、断面が奥に向かって膨らんでいる半円形状の反射板７が備えられており、蛍光灯９の放射する光を前方へ反射するようになっている。
【００２４】
又、隔壁１ｃが副空間１ｂに面する側の下端部、及び、側外壁１ａの下端部と、隔壁１ｅが副空間１ｆに面する側の下端部、及び、側外壁１ｇが副空間１ｆに面する側の下端部には、それぞれ、軸受５ｂ，５ａ，５ｃ，５ｄが設けられている。この内、軸受５ｂ，５ａには、回転軸４ａが、又、軸受５ｃ，５ｄには、回転軸４ｂが、それぞれ回転可能に挿入されている。又、これらの軸受５ｂ，５ａ，５ｃ，５ｄは、回転軸４ａ，４ｂの軸中心が、蛍光灯９の管軸中心と略一致するように取付られている。
【００２５】
又、側外壁１ａに設けられている軸受５ａは、側外壁１ａを貫通して取付られており、回転軸４ａは、側外壁１ａに備えられたモータユニット６に収容されているギヤードモータに直結されている。そのため、モータユニット６内のギヤードモータが正逆に回転すると、回転軸４ａも正逆に回転する。
【００２６】
回転軸４ａ，４ｂには、軸と垂直に遮光板支持片３，３の基端が固着され、この遮光板支持片３，３の先端には、これらの遮光板支持片３，３と垂直に、遮光板２が固着されている。この遮光板２は、直管状の蛍光灯９が照射する光を遮光するように、即ち、蛍光灯９の前方にこの蛍光灯９と略平行するようにして、遮光板支持片３，３に取付けられている。
【００２７】
又、この遮光板２は、この遮光板２の断面が、前方へ突出した円弧状であると共に、この遮光板２を前方から見たときの遮光板２の上辺と下辺が、直管状の蛍光灯９と略平行で、且つ、相互に平行となるような曲面板である。又、この曲面板で構成される遮光板２の大きさは、この遮光板２が蛍光灯９の正面に位置する状態で、蛍光灯９の光が、遮光板２で上下に振り分けられて、遮光板２の上辺と下辺のそれぞれの外縁の外側を、振り分けられた照射光が通過する状態となるような大きさである。
【００２８】
上記の構造を有する照明装置Ａでは、上述したように、遮光板２を先端で支持する遮光板支持片３，３は、この遮光板支持片３，３の基端が回転軸４ａ，４ｂにこの軸と垂直に固着されているので、回転軸４ａ，４ｂが回転すると、遮光板２も、この回転軸４ａ，４ｂの回転に応じて動く。又、回転軸４ａ，４ｂの軸中心が、蛍光灯９の管軸中心と略一致するように、軸受５ｂ，５ａ，５ｃ，５ｄが取付られているので、遮光板２の動きは、直管状の蛍光灯９の管曲面に沿って回動するような動きとなり、遮光板２を直管状の蛍光灯９の管曲面に沿って回動するように動かすことができる。
【００２９】
そこで、上記の照明装置Ａでは、モータユニット６内のギヤードモータを正逆回転させることで、図２(ａ)〜(ｃ)に示すように、光源である蛍光灯９から照射される光を一部遮光板２で遮光して、蛍光灯９から照射される光を、上下２方向の双方、或いは、一方に振り分けることが可能であり、又、２方向に振り分ける状態では、遮光板２の位置が移動することにより、各方向に振り分けられた照射光の量を変化させることができる。
【００３０】
即ち、図２(ａ)は、遮光板２を上限まで移動させた状態を示しており、この場合は、蛍光灯９から放射される光は、照明装置Ａが設置されている部屋の床付近の下層空間から中層空間へ照射され、直接照明的な使い方となる。又、図２(ｂ)は、遮光板２が蛍光灯９の正面に位置する状態を示しており、この場合は、蛍光灯９から放射される光は、遮光板２で上下に振り分けられ、照明装置Ａが設置されている部屋の床付近の下層空間と天井付近の上層空間とに略均等に照射される。又、図２(ｃ)は、遮光板２を下限まで移動させた状態を示しており、この場合は、蛍光灯９から放射される光は、照明装置Ａが設置されている部屋の中層空間から天井付近の上層空間へ照射する間接照明的な使い方となる。
【００３１】
又、図２(ｂ)の状態から遮光板２を上方に向かって徐々に動かすと、遮光板２で上下に振り分けられて照射されている光の量が、遮光板２の動きにつれて、部屋の下層空間へ照射する方が部屋の上層空間へ照射する方よりも徐々に多くなる。又、図２(ｂ)の状態から遮光板２を下方に向かって徐々に動かすと、遮光板２で上下に振り分けられて照射されている光の量が、遮光板２の動きにつれて、部屋の上層空間へ照射する方が部屋の下層空間へ照射する方よりも徐々に多くなる。
【００３２】
次に、上記の照明装置Ａの制御部について説明する。図３は、上記の照明装置Ａの制御部１０の回路の構成を示した回路図である。図３において、９は蛍光灯、２は遮光板、ＤＬは蛍光灯９を点灯するための蛍光灯点灯器、Ｍは遮光板２を移動させるためのギヤードモータ、Ｅは電源、ＳＷ１は蛍光灯９の点灯スイッチ、ＳＷ２は蛍光灯９の消灯スイッチ、ＬＳ１は遮光板上限リミットスイッチ、ＬＳ２は遮光板下限リミットスイッチ、Ｘはリレー、そして、ＳＸ１〜ＳＸ４はリレーＸの接点である。上記の内、ＳＷ１はノーマルオープンの押しボタンスイッチ、ＳＷ２はノーマルクローズの押しボタンスイッチであり、ＳＸ３はノーマルクローズ接点、そして、ＳＸ３以外のリレーＸの接点は、ノーマルオープン接点である。
【００３３】
上記の照明装置Ａは、上述したように、部屋の壁１１に設置されており、遮光板上限リミットスイッチＬＳ１は、照明装置Ａの遮光板２が上限に位置しているとき、即ち、図２(ａ)の状態にあるときに動作するリミットスイッチで、動作するとＯＦＦする。又、遮光板下限リミットスイッチＬＳ２は、照明装置Ａの遮光板２が下限に位置しているとき、即ち、図２(ｃ)の状態にあるときに動作するリミットスイッチで、動作するとＯＦＦする。
【００３４】
又、モータユニット６内のギヤードモータＭは、正回転すると、遮光板２が下から上に向けて移動し、逆転すると、上から下に向けて移動する。又、上記の照明装置Ａでは、蛍光灯９が消灯状態では、遮光板２が上述した下限に位置しており(図２(ｃ)の状態)、この位置を、待機位置と称する。即ち、照明装置Ａは、消灯状態では、遮光板２が待機位置に待機している。
【００３５】
次に、上記の照明装置Ａの制御動作について説明する。図４は、照明装置Ａの制御動作を示したタイムチャートである。図４において、Ｔは時間の経過を示しており、ｔ１〜ｔ６は、具体的な時点を表す。又、図４では、各波形の上側がＯＮ状態、下側がＯＦＦ状態である。但し、ギヤードモータＭについては、波形の上側が正転状態、下側が逆転状態である。
【００３６】
図４において、まず、ｔ１で、遮光板２が待機位置に待機している照明装置Ａに対して、点灯スイッチＳＷ１を押込んでＯＮさせると、消灯スイッチＳＷ２は閉じた状態であるので、リレーＸが動作して、リレー接点ＳＸ１，ＳＸ２，及び，ＳＸ４が閉じると共に、ＳＸ３が開く。すると、ＳＸ１が閉じることにより、ｔ２で、点灯スイッチＳＷ１が復帰してＯＦＦしても、リレーＸは、そのまま動作中を継続する。
【００３７】
又、ＳＸ４が閉じることにより、電源Ｅが蛍光灯点灯器ＤＬに供給されて蛍光灯９が点灯する。同時に、ＳＸ２が閉じ、このときは、遮光板２が待機位置に待機しているので(図２(ｃ)の状態)、遮光板上限リミットスイッチＬＳ１は動作しておらずＯＮの状態であるので、ギヤードモータＭが正転して遮光板２が上方に移動する。そして、ｔ３で、遮光板２が上限に達すると、遮光板上限リミットスイッチＬＳ１が動作してＯＦＦするので、ギヤードモータＭが停止する。即ち、点灯スイッチＳＷ１を操作することによって、蛍光灯９を点灯すると共に、遮光板２を上方に移動させる。従って、照明装置Ａは、図２(ａ)の状態となるので、蛍光灯９から放射される光は、照明装置Ａが設置されている部屋の床付近の下層空間から中層空間へ照射される。
【００３８】
次に、ｔ４で、遮光板２が上限に位置している照明装置Ａに対して、消灯スイッチＳＷ２を押込んでＯＦＦさせると、点灯スイッチＳＷ１は復帰状態で開いた状態であるので、リレーＸがＯＦＦして、リレー接点ＳＸ１，ＳＸ２，及び，ＳＸ４が開くと共に、ＳＸ３が閉じる。すると、ＳＸ１が開くことにより、ｔ５で、消灯スイッチＳＷ２が復帰してＯＮしても、リレーＸは、ＯＦＦ状態を継続する。
【００３９】
又、ＳＸ４が開くことにより、電源Ｅが蛍光灯点灯器ＤＬに供給されなくなり蛍光灯９が消灯する。同時に、ＳＸ３が閉じ、このときは、遮光板２が上限に位置しているので(図２(ａ)の状態)、遮光板下限リミットスイッチＬＳ２は動作しておらずＯＮの状態であり、ギヤードモータＭが逆転して遮光板２が下方に移動する。そして、ｔ６で、遮光板２が下限に達すると、遮光板下限リミットスイッチＬＳ２が動作してＯＦＦするので、ギヤードモータＭが停止する。即ち、消灯スイッチＳＷ２を操作することによって、蛍光灯９を消灯すると共に、遮光板２を下方に移動させて待機位置に待機させる。従って、照明装置Ａは、消灯した状態で、図２(ｃ)の状態となる。
【００４０】
上記の照明装置Ａによれば、点灯スイッチＳＷ１が操作されてＯＮすると、即ち、制御部１０が、点灯スイッチＳＷ１の操作が行われたのを検知すると、遮光板２を待機位置から上方に移動させて上限に位置させる。この間、遮光板２が移動することで、回転軸４ａ，４ｂを動かすことができる。又、消灯スイッチＳＷ２が操作されてＯＦＦすると、即ち、制御部１０が、消灯スイッチＳＷ２の操作が行われたのを検知すると、遮光板２を上限位置から下方に移動させて待機位置に待機させる。この間、遮光板２が移動することで、上記と同様に、回転軸４ａ，４ｂを動かすことができる。
【００４１】
従って、点灯スイッチＳＷ１及び消灯スイッチＳＷ２が操作される毎に、回転軸４ａ，４ｂを動かすので、この回転軸４ａ，４ｂが、錆付や固着した埃等により固着して動かなくなるのを防止することができる。又、上記で用いられる照明装置Ａの点灯スイッチＳＷ１の操作、又は、消灯スイッチＳＷ２の操作は、照明装置を動作させるのに必要不可欠である。従って、照明装置Ａの可動部を駆動する駆動機構の固着防止のための該駆動機構の駆動を、確実に行わせることができる。
【００４２】
上記の照明装置Ａの制御部１０において、照明装置Ａの遮光板２を動かすトリガーとして、上述したような点灯スイッチＳＷ１及び消灯スイッチＳＷ２の操作によるのに代えて、タイマーを用いるようにしてもよい。即ち、制御部にタイマーを備えると共に、このタイマーにより、設定された一定時間毎に、又は、設定された時刻到来毎に、出力信号を出力させ、この出力信号により、モータユニット６のギヤードモータＭを駆動するようにするのである。
【００４３】
このようにすると、タイマーは、設定さえすれば、確実に動作させることができるので、照明装置Ａの可動部を駆動する駆動機構の固着防止のための該駆動機構の駆動を、確実に行わせることができる。
【００４４】
又、上記の照明装置Ａでは、光源である蛍光灯９を固定すると共に、この固定された蛍光灯９の前に、可動可能な遮光板２を配置し、この可動可能な遮光板２を可変とすることにより、光の照射方向を可変としている。従って、可動可能な光源を用いる必要がないので、照明装置Ａを小型化することができる。
【００４５】
又、上記の照明装置Ａにおいて、遮光板２として、半透光性を備えた遮光板を用いるようにしてもよい。このようにすることにより、照明装置Ａの照明効果に多様性を与えることができる。
【００４６】
又、上記の照明装置Ａでは、光源として蛍光灯を用いているが、光源としては、これには限られず、白熱灯や水銀灯等、光源として使用可能であれば、他のいかなるものも使用することができる。
【図面の簡単な説明】
【００４７】
【図１】本実施の形態の照明装置における、(ａ)は平面図、(ｂ)は右側面図、そして、(ｃ)は(ａ)のＸ−Ｘ断面図である。
【図２】(ａ)、(ｂ)、(ｃ)は、本実施の形態の照明装置における遮光板の移動状態を示した断面図である。
【図３】本実施の形態における照明装置の制御部の回路図である。
【図４】本実施の形態における照明装置の制御動作を示したタイムチャートである。
【符号の説明】
【００４８】
１  本体
１ａ  側外壁
１ｂ  副空間
１ｃ  隔壁
１ｄ  主空間
１ｅ  隔壁
１ｆ  副空間
１ｇ  側外壁
２  遮光板
３  遮光板支持片
４ａ  回転軸
４ｂ  回転軸
５ａ  軸受
５ｂ  軸受
５ｃ  軸受
５ｄ  軸受
６  モータユニット
７  反射板
８  ソケット
９  蛍光灯
１０  制御部
１１  壁
Ａ  照明装置
ＤＬ  蛍光灯点灯器
Ｅ  電源
ＬＳ１  遮光板上限リミットスイッチ
ＬＳ２  遮光板下限リミットスイッチ
Ｍ  ギヤードモータ
ＳＷ１  点灯スイッチ
ＳＷ２  消灯スイッチ
ＳＸ１  リレー接点
ＳＸ２  リレー接点
ＳＸ３  リレー接点
ＳＸ４  リレー接点
Ｔ  時間経過
Ｘ  リレー
【図１】
2008066078.tif 000003
【図２】
2008066078.tif 000004
【図３】
2008066078.tif 000005
【図４】
2008066078.tif 000006